(57)【要約】【課題】ＤＳＲＣ車載器とＤＳＲＣ路上機との路車間通信が行われた場合に、受信電波の強度の波形から、ＤＳＲＣ路上機の通信エリア内での路車間通信なのかＤＳＲＣ路上機の通信エリア外での路車間通信なのかを正確に判定すること。【解決手段】受信電波の強度が下側閾値からピークに到達するまでに増加した値の絶対値を下側閾値からピークに到達するまでに経過した時間で除算することで上昇勾配値を算出し、受信電波の強度がピークに達した後に下限閾値に到達するまでに減少した値の絶対値をピークに達した後に下側閾値に到達するまでに経過した時間で除算することで下降勾配値を算出する（Ｓ１３５）。下降勾配値が上昇勾配値以下である場合には（Ｓ１４０：ＮＯ）、当該ＤＳＲＣ車載器３０がＤＳＲＣ路上機２０の通信エリア外に位置すると判定する（Ｓ１６０）。【選択図】図３
2010258520.tif 000002
【特許請求の範囲】
【請求項１】
データが載せられた電波を本線道路の順車線上に予め設定される通信エリア内に送信可能なＤＳＲＣ路上機との間で路車間通信を行う機能を備えたＤＳＲＣ車載器において、
前記ＤＳＲＣ路上機から送信される電波を受信する受信部と、
前記受信部が受信した電波の強度を検出する検出部と、
前記検出部によって検出された電波の強度が下側閾値を超えてから上側閾値を超えてピークに達した後に前記下側閾値まで減少した場合に、前記電波の強度が前記下側閾値から前記ピークに到達するまでに増加した値の絶対値を前記下側閾値から前記ピークに到達するまでに経過した時間で除算することで第一算出値を算出するとともに、前記検出部によって検出された電波の強度が前記ピークに達した後に前記下限閾値に到達するまでに減少した値の絶対値を前記ピークに達した後に前記下側閾値に到達するまでに経過した時間で除算することで第二算出値を算出し、前記第二算出値が前記第一算出値以上である場合には、当該ＤＳＲＣ車載器が前記ＤＳＲＣ路上機の通信エリア内に位置すると判定し、一方、前記第二算出値が前記第一算出値未満である場合には、当該ＤＳＲＣ車載器が前記ＤＳＲＣ路上機の通信エリア外に位置すると判定する判定部と、
を備えることを特徴とするＤＳＲＣ車載器。
【請求項２】
請求項１に記載のＤＳＲＣ車載器において、
前記判定部は、前記検出部によって検出された電波の強度が前記下側閾値を超えてから前記上側閾値には到達せずにピークに達した後に前記下側閾値まで減少した場合には、当該ＤＳＲＣ車載器が前記ＤＳＲＣ路上機の通信エリア外に位置すると判定することを特徴とするＤＳＲＣ車載器。
【請求項３】
請求項１または請求項２に記載のＤＳＲＣ車載器において、
さらに、
前記受信部が受信した電波に載せられたデータを受け付けるデータ受付部と、
前記データ受付部が受け付けたデータを報知可能な報知部と、
前記判定部によって当該ＤＳＲＣ車載器が前記ＤＳＲＣ路上機の通信エリア内に位置すると判定された場合には、前記データ受付部が受け付けたデータを前記報知部に報知させ、一方、前記判定部によって当該ＤＳＲＣ車載器が前記ＤＳＲＣ路上機の通信エリア外に位置すると判定された場合には、前記データ受付部が受け付けたデータを前記報知部に報知させない報知制御部と、
を備えることを特徴とするＤＳＲＣ車載器。
【請求項４】
請求項３に記載のＤＳＲＣ車載器において、
前記判定部は、前記検出部によって検出された電波の強度が下側閾値を超えた場合において、前記電波の強度が前記下側閾値を超えてからの経過時間が、所定時間に到達したか否かを判定し、
さらに、
前記経過時間が所定時間に到達したと前記判定部によって判定された場合に、前記データ受付部が受け付けたデータを報知するか否かの選択入力を受け付ける選択入力部を備え、
前記報知制御部は、前記データ受付部が受け付けたデータを報知する旨の選択入力を前記選択入力部が受け付けた場合には、前記データ受付部が受け付けたデータを前記報知部に報知させ、一方、前記データ受付部が受け付けたデータを報知しない旨の選択入力を前記選択入力部が受け付けた場合には、前記データ受付部が受け付けたデータを前記報知部に報知させないこと
を特徴とするＤＳＲＣ車載器。
【請求項５】
データが載せられた電波を本線道路の順車線上に予め設定される通信エリア内に送信可能なＤＳＲＣ路上機と、
前記ＤＳＲＣ路上機との間で路車間通信を行う請求項１〜４の何れかに記載のＤＳＲＣ車載器と、
を備える路車間狭域無線通信システム。
【請求項６】
コンピュータを、請求項１〜請求項４の何れかに記載のＤＳＲＣ車載器の判定部として機能させるためのプログラム。
【発明の詳細な説明】
【技術分野】
【０００１】
本発明は、路上機と路上機の通信エリア内に位置する車載器との間で行う路車間通信に関する。
【背景技術】
【０００２】
従来より、車両の走行経路の近傍に設置された路側装置（いわゆる路上機）と車両に搭載された車載装置（いわゆる車載器）との間で路車間通信を行う路車間狭域無線通信（ＤＳＲＣ）システムが知られている。
【０００３】
この種のＤＳＲＣシステムにおいては、各路上機は、所望のエリアに電波が届くように送信アンテナに指向性を持たせるとともに、適切な出力で電波を送信するよう設定される。一方、車載器は、受信下限閾値レベルよりも強い電波を受信した場合に、その電波の送信元の路上機との間で路車間通信を開始する。なお、通信エリア外の信号を除去するため、受信下限閾値レベルを設定している。
【０００４】
また、特許文献１に記載の技術では、車載器が、受信下限閾値レベルをチャンネルごとに変更可能に構成されており、他チャンネルの受信下限閾値レベルを高く設定することによって他チャンネルの信号等の不要な信号を除去するようにしている。
【先行技術文献】
【特許文献】
【０００５】
【特許文献１】特開２００８−１７２４９６号公報（第５頁、図３）
【発明の概要】
【発明が解決しようとする課題】
【０００６】
しかし、上述のようなＤＳＲＣシステムにおいては、次のような問題があった。すなわち、所望の通信エリアに完全に合致した路上機の送信アンテナの指向性を設定することは困難であり、路上機が送信する電波が所望の通信エリアの外へ届くおそれがあった。さらに、車両や建物による電波の遮蔽や反射が発生しても路車間で確実に通信を実現するためには、路上機から送信する電波をある程度強く設定する必要があり、このことも路上機が送信する電波が所望の通信エリアの外へ届く一因となっていた。その結果、本線ではなく反対車線や側道といった通信エリア外を走行する車両に搭載された車載器と路上機とが通信するおそれがあった。なお、路上機が送信する電波に載せられたデータは、路上機の通信エリア外を走行する車両に搭乗する乗員にとっては関係のない情報であることが多い。しかし、上述のように通信が成立すると、上述のデータが車載器に受信されて車両の乗員に報知されることになる。なお、こうした問題は、特許文献１の技術では解決できない。
【０００７】
本発明は、このような課題に鑑みなされたものであり、その目的とするところは、ＤＳＲＣ車載器とＤＳＲＣ路上機との路車間通信が行われた場合に、受信電波の強度の波形から、ＤＳＲＣ路上機の通信エリア内での路車間通信なのかＤＳＲＣ路上機の通信エリア外での路車間通信なのかを正確に判定する技術を提供することにある。
【課題を解決するための手段】
【０００８】
上記課題を解決するためになされた請求項１に係るＤＳＲＣ車載器は、データが載せられた電波を本線道路の順車線上に予め設定される通信エリア内に送信可能なＤＳＲＣ路上機との間で路車間通信を行う機能を備える。
【０００９】
また、上述のＤＳＲＣ車載器は、受信部と、検出部と、判定部と、を備える。このうちの受信部が、ＤＳＲＣ路上機から送信される電波を受信する。そして、検出部が、受信部が受信した電波の強度を検出する。さらに、判定部が、検出部によって検出された電波の強度が下側閾値を超えてから上側閾値を超えてピークに達した後に下側閾値まで減少した場合に、上述の電波の強度が下側閾値からピークに到達するまでに増加した値の絶対値を下側閾値からピークに到達するまでに経過した時間で除算することで第一算出値を算出する。また、判定部が、検出部によって検出された電波の強度がピークに達した後に下限閾値に到達するまでに減少した値の絶対値をピークに達した後に下側閾値に到達するまでに経過した時間で除算することで第二算出値を算出する。そして、判定部が、第二算出値が第一算出値以上である場合には、当該ＤＳＲＣ車載器がＤＳＲＣ路上機の通信エリア内に位置すると判定し、一方、第二算出値が第一算出値未満である場合には、当該ＤＳＲＣ車載器がＤＳＲＣ路上機の通信エリア外に位置すると判定する。
【００１０】
このように構成された本発明のＤＳＲＣ車載器によれば、例えば車載器を搭載する車両が本線道路の順車線を走行中であるなど、ＤＳＲＣ路上機とＤＳＲＣ路上機の通信エリア内に位置するＤＳＲＣ車載器とが路車間通信を行った場合に、そのことをＤＳＲＣ車載器側で確実に認識することができる。また、例えば車載器を搭載する車両が反対車線を走行中であるなど、ＤＳＲＣ路上機とＤＳＲＣ路上機の通信エリア外に位置するＤＳＲＣ車載器とが路車間通信を行った場合に、そのことをＤＳＲＣ車載器側で認識することができる。
【００１１】
つまり、本発明のＤＳＲＣ車載器によれば、ＤＳＲＣ路上機との路車間通信が行われた場合に、受信電波の強度の波形から、ＤＳＲＣ路上機の通信エリア内での路車間通信なのかＤＳＲＣ路上機の通信エリア外での路車間通信なのかを正確に判定することができる。
【００１２】
ところで、上述のようにＤＳＲＣ路上機の通信エリアが本線道路の順車線上に設定される場合には、本線道路脇の側道が通信エリア外となる。しかし、側道は本線道路脇にあるために両者間の距離が短く、路上機が送信する電波が通信エリア外であっても届きやすい。
【００１３】
そこで、請求項２のように、判定部が、検出部によって検出された電波の強度が下側閾値を超えてから上側閾値には到達せずにピークに達した後に下側閾値まで減少した場合には、当該ＤＳＲＣ車載器がＤＳＲＣ路上機の通信エリア外に位置すると判定することが考えられる。
【００１４】
このように構成すれば、例えば車載器を搭載する車両が本線道路脇の側道を走行中であるなど、ＤＳＲＣ路上機とＤＳＲＣ路上機の通信エリア外に位置するＤＳＲＣ車載器とが路車間通信を行った場合でも、そのことをＤＳＲＣ車載器側で認識することができる。
【００１５】
ところで、上述のように、ＤＳＲＣ路上機とＤＳＲＣ路上機の通信エリア外に位置するＤＳＲＣ車載器とが路車間通信を行うことで路上機が送信する電波に載せられたデータを受信した場合、その受信したデータは、路上機の通信エリア外を走行する車両に搭乗する乗員にとっては関係のない情報であることが多い。そして、上述のように通信が成立すると、上述のデータが車載器に受信されて車両の乗員に報知されることになる。
【００１６】
そこで、ＤＳＲＣ路上機とＤＳＲＣ路上機の通信エリア外に位置するＤＳＲＣ車載器とが路車間通信を行うことで路上機が送信する電波に載せられたデータを受信した場合、その受信したデータを報知しないようにすることが考えられる。
【００１７】
具体的には、請求項３のように、本発明のＤＳＲＣ車載器は、さらに、データ受付部と、報知部と、報知制御部と、を備える。データ受付部が、受信部が受信した電波に載せられたデータを受け付ける。また、報知部は、データ受付部が受け付けたデータを報知可能である。そして、判定部によって当該ＤＳＲＣ車載器がＤＳＲＣ路上機の通信エリア内に位置すると判定された場合には、報知制御部が、データ受付部が受け付けたデータを報知部に報知させる。一方、判定部によって当該ＤＳＲＣ車載器がＤＳＲＣ路上機の通信エリア外に位置すると判定された場合には、報知制御部が、データ受付部が受け付けたデータを報知部に報知させないようにする。
【００１８】
このように構成すれば、ＤＳＲＣ路上機とＤＳＲＣ路上機の通信エリア外に位置するＤＳＲＣ車載器とが路車間通信を行うことでＤＳＲＣ路上機が送信する電波に載せられたデータを当該ＤＳＲＣ車載器が受信した場合でも、その受信したデータを乗員に報知しないようにすることができる。
【００１９】
ところで、車載器が搭載される車両が渋滞などによって本線をスムーズに走行できない場合がある。このような場合、ＤＳＲＣ車載器がＤＳＲＣ路上機の通信エリア内に位置するとともに、検出する電波の強度も良好であるにも拘わらず、検出する電波の強度が下側閾値までなかなか減少せずに、上述のような判定部による判定が実行できないという問題が生じるおそれがある。すると、受信したデータが乗員にとって有用である場合でも乗員に報知することができない。
【００２０】
そこで、検出された電波の強度が下側閾値を超えてからの経過時間が、所定時間に到達したときには、データ受付部が受け付けたデータを報知するか否かの選択入力を受け付けるようにすることが考えられる。
【００２１】
具体的には、請求項４のように、本発明のＤＳＲＣ車載器は、さらに、選択入力部を備える。判定部が、検出部によって検出された電波の強度が下側閾値を超えた場合において、前記電波の強度が下側閾値を超えてからの経過時間が、所定時間に到達したか否かを判定する。そして、前記経過時間が所定時間に到達したと判定部によって判定された場合には、選択入力部が、データ受付部が受け付けたデータを報知するか否かの選択入力を受け付ける。そして、データ受付部が受け付けたデータを報知する旨の選択入力を選択入力部が受け付けた場合には、報知制御部が、データ受付部が受け付けたデータを前記報知部に報知させる。一方、データ受付部が受け付けたデータを報知しない旨の選択入力を選択入力部が受け付けた場合には、報知制御部が、データ受付部が受け付けたデータを報知部に報知させないようにする。
【００２２】
このように構成すれば、車載器が搭載される車両が渋滞などによって本線をスムーズに走行できず、上述のような判定部による判定が実行できない場合でも、受信したデータを乗員に報知することができる。
【００２３】
なお、本発明は、路車間狭域無線通信システムとしても実現可能である。具体的には、上記課題を解決するためになされた請求項５に係る路車間狭域無線通信システムは、データが載せられた電波を予め設定される通信エリア内に送信可能なＤＳＲＣ路上機と、請求項１〜４の何れかに記載のＤＳＲＣ車載器と、を備え、前記ＤＳＲＣ路上機と前記ＤＳＲＣ車載器との間で路車間通信を行うことを特徴とする。
【００２４】
なお、上述したＤＳＲＣ車載器の判定部としての機能をプログラムによって実現してもよい（請求項６）。このようなプログラムを、ＤＳＲＣ車載器が内蔵するコンピュータに実行させれば、そのＤＳＲＣ車載器は、上述した本発明のＤＳＲＣ車載器と同様の作用及び効果を奏する。また、プログラムはネットワーク等を用いて流通させることも可能である上、ＤＳＲＣ車載器におけるプログラムの入れ替えは、部品の入れ替えに比較して容易である。したがって、ＤＳＲＣ車載器の機能向上を容易に行うこともできる。
【図面の簡単な説明】
【００２５】
【図１】通信システム１の概略構成を示すブロック図である。
【図２】ＤＳＲＣ車載器３０の無線部３２が受信した電波の強度を示す説明図であり、（ａ）はＤＳＲＣ車載器３０を搭載した車両がＤＳＲＣ路上機２０の通信エリア内に位置する場合の受信電波の強度を示し、（ｂ）はＤＳＲＣ車載器３０を搭載した車両がＤＳＲＣ路上機２０の通信エリア外に位置する場合の受信電波の強度を示す。
【図３】適正通信判定処理を示すフローチャートである。
【発明を実施するための形態】
【００２６】
以下に本発明の実施形態を図面とともに説明する。なお、本発明はこの実施形態に限定されるものではなく、様々な態様にて実施することが可能である。
［１．通信システム１の構成の説明］
図１に示すように、路車間狭域無線通信システムとしての通信システム１は、ＤＳＲＣ（専用狭域通信）車載器３０、イグニッションスイッチ８０等を備えた車両側の装置が、図示しないＥＴＣ（Electronic Toll Collection）路上機やＤＳＲＣ路上機２０等の路側の装置とデータのやりとりをするよう構成されている。なお、本実施形態においては、路上機２０から車両に対して送信される情報をサービス情報とも呼ぶこととする。
【００２７】
［１．１．ＤＳＲＣ路上機２０の構成の説明］
図１に示すように、ＤＳＲＣ路上機２０は、制御部２１と、無線部２２と、を備えている。制御部２１は、ＣＰＵ、ＲＯＭ、ＲＡＭ等を備えた周知のマイクロコンピュータとして構成されており、予め通信線を介して接続されたデータセンタ（図示省略）から送られた交通情報等のデータを載せた電波を、無線部２２を制御して路上機アンテナから本線道路を含む所定の領域（通信エリア）に繰り返し送信する。
【００２８】
ここで、通信エリアについて説明する。ＤＳＲＣ路上機２０は、本線道路の道路脇に設置され、当該ＤＳＲＣ路上機２０の設置場所に接近してくる車両に向けて電波を送信するように設定される。このことにより、ＤＳＲＣ路上機２０の通信エリアは、ＤＳＲＣ路上機２０の設置場所から本線道路の上流側に設定される。このとき通信エリアに接近する車両が走行する本線道路の車線を順車線とすると、通信エリアは本線道路の順車線上に設定される。また、本線道路の車線のうち順車線の反対側の車線である反対車線と本線道路に沿って設置される側道とは、ＤＳＲＣ路上機２０の通信エリア外になる。
【００２９】
［１．２．ＤＳＲＣ車載器３０の構成の説明］
図１に示すように、ＤＳＲＣ車載器３０は、路上機２０からサービス情報を受信する。
具体的にＤＳＲＣ車載器３０は、車載器制御部３１と、無線部３２と、通信部３４と、記憶部３５と、表示部３６と、スピーカ３７と、入力操作部３８と、ＩＣカード制御部３９と、ＩＣカードコネクタ４０とを備えている。
【００３０】
車載器制御部３１は、ＣＰＵ、ＲＯＭ、ＲＡＭ等を備えた周知のマイクロコンピュータとして構成されており、このＤＳＲＣ車載器３０全体の制御を司る。
無線部３２は、車載器アンテナを介して電波を送受信することによってＤＳＲＣ車載器３０とＤＳＲＣ路上機２０との通信を実現する。つまり、無線部３２は、車載器制御部３１からＤＳＲＣ路上機２０に送信するよう指令を受けたデータに応じて所定周波数の搬送波を変調して送信し、車載器アンテナを介して電波を受信すると、受信した電波を復調し、得られたデータを車載器制御部３１に送る。
【００３１】
また、無線部３２は、受信電波の強度が下側閾値を越えた場合には、キャリア検出信号を車載器制御部３１に出力する。なお、本実施形態では、下側閾値が−６５ｄＢｍに設定されている。
【００３２】
記憶部３５は、周知の書込可能なメモリとして構成されており、車載器制御部３１がこの記憶部３５への書き込み、および読み出しを行う。なお、ＤＳＲＣ路上機２０から受信した電波に載せられたデータについては、この記憶部３５に車載器制御部３１によって記憶される。また、表示部３６は周知のディスプレイとして構成されており、車載器制御部３１からの画像信号に応じた画像を表示させる。
【００３３】
入力操作部３８は、例えばスイッチやキーボード等、当該システムのユーザによる操作を受け付けるためのインタフェースとして構成されている。なお、入力操作部３８を介して入力された操作は、車載器制御部３１にて検出される。
【００３４】
ＩＣカード制御部３９は、ＩＣカードコネクタ４０にセットされたＩＣカード９０の読み書きを行う。具体的には、ＩＣカード制御部３９は、車載器制御部３１による指令に応じてＩＣカード９０の処理部９１に対して所定のデータを読み書きする指令を送信し、この指令を受けた処理部９１が、ＩＣカード９０の記憶部９２に記憶されたデータの読み書きを実施する。
【００３５】
このような処理によって、ＩＣカード９０に対して、利用した有料道路のインターチェンジや駐車場を特定するための情報の読み書きが実施される。また、ＩＣカード９０からは、ＩＣカード９０の所有者（ユーザ）を特定するための情報や、カードの有効期限等の情報が読み出されることになる。
【００３６】
また、ＤＳＲＣ車載器３０の無線部３２が受信する電波の強度をモニタしながら走行し、横軸時間、縦軸電波強度のグラフを作ると、逆Ｖ型の波形となる。通信エリア内の場合は、図２（ａ）に例示するように、ＤＳＲＣ路上機２０に向かっている際は緩やかな上り勾配で、路側機アンテナの真下手前で頂点に達し、このときの電力は極めて高い。そして、一気に急な下り勾配で落ちていく。このような、カーブが得られた場合は、通信エリア内だと判定し、受信情報をＤＳＲＣ車載器３０から使用者に伝えるとよい。一方、通信エリア外の場合は、図２（ｂ）に例示するように、逆Ｖ型波形の形が緩やかな上り勾配から急な下り勾配への変化とはならず、それ以外の様々な勾配となり、かつ頂点の電力が低いので、このような波形の場合は、例え良好に通信できても、通信エリア外と判定し、受信情報をＤＳＲＣ車載器３０から使用者には伝えないようにする。
【００３７】
なお、車載器制御部３１は、判定部および報知制御部に該当する。また、無線部３２は、受信部、検出部およびデータ受付部に該当する。また、表示部３６およびスピーカ３７は、報知部に該当する。また、入力操作部３８は、選択入力部に該当する。
【００３８】
［２．適正通信判定処理の説明］
次に、通信システム１のＤＳＲＣ車載器３０の車載器制御部３１が実行する適正通信判定処理について図２および図３のフローチャートを参照して説明する。
【００３９】
本処理はＤＳＲＣ車載器３０の電源状態がオンである場合に他の処理から独立して繰り返し実行される。
まず、キャリア検出信号を受信したか否かを判断する（Ｓ１０５）。このキャリア検出信号は、受信電波の強度が下側閾値を越えた場合に無線部３２から出力される。なお、本実施形態では、上述のように下側閾値が−６５ｄＢｍに設定されている。
【００４０】
キャリア検出信号を受信していない場合には（Ｓ１０５：ＮＯ）、キャリア検出信号を受信するまで待機する。一方、キャリア検出信号を受信した場合には（Ｓ１０５：ＹＥＳ）、タイマーによる計時をスタートさせる（Ｓ１１０）。
【００４１】
続いて、受信電波の強度がピークを超えたか否かを判断する（Ｓ１１５）。
受信電波の強度がピークを超えていない場合には（Ｓ１１５：ＮＯ）、受信電波の強度が下側閾値未満であるか否かを判断する（Ｓ１４５）。受信電波の強度が下側閾値未満である場合には（Ｓ１４５：ＹＥＳ）、路車間通信を行うまでの電波強度に達していないと判断してＳ１０５に戻る。
【００４２】
また、受信電波の強度がピークを超えていない場合において（Ｓ１１５：ＮＯ）、受信電波の強度が下側閾値以上である場合に（Ｓ１４５：ＮＯ）、タイムアップであるか否かを判断する（Ｓ１５０）。すなわち、キャリア検出信号を受信してからの経過時間が所定時間以上であるか否かを判断する。タイムアップではない場合には（Ｓ１５０：ＮＯ）、引き続き受信電波の強度をモニタリングするためにＳ１１５に戻る。一方、タイムアップである場合には（Ｓ１５０：ＹＥＳ）、渋滞などによって受信電波の強度のモニタリングが適切に行えない状況であると判断してリターンする。
【００４３】
ところで、Ｓ１１５にて受信電波の強度がピークを超えた場合には（Ｓ１１５：ＹＥＳ）、そのピーク値が上側閾値以上であるか否かを判断する（Ｓ１２０）。なお、本実施形態では、上側閾値が−４５ｄＢｍに設定されている。
【００４４】
受信電波のピーク値が上側閾値未満である場合には（Ｓ１２０：ＮＯ）、ＤＳＲＣ車載器３０を搭載する車両が本線脇の側道を走行中であり、当該ＤＳＲＣ車載器３０がＤＳＲＣ路上機２０の通信エリア外に位置すると判定し（Ｓ１６０）、リターンする。
【００４５】
受信電波のピーク値が上側閾値未満である場合には（Ｓ１２０：ＮＯ）、受信電波の強度が下側閾値未満であるか否かを判断し（Ｓ１５７）、受信電波の強度が下側閾値未満である場合には（Ｓ１５７：ＹＥＳ）、ＤＳＲＣ車載器３０を搭載する車両が本線脇の側道を走行中であり、当該ＤＳＲＣ車載器３０がＤＳＲＣ路上機２０の通信エリア外に位置すると判定し（Ｓ１６０）、リターンする。一方、受信電波の強度が下側閾値以上である場合には（Ｓ１５７：ＮＯ）、タイムアップであるか否かを判断する（Ｓ１６５）。すなわち、キャリア検出信号を受信してからの経過時間が所定時間以上であるか否かを判断する。タイムアップではない場合には（Ｓ１６５：ＮＯ）、引き続き受信電波の強度をモニタリングするためにＳ１６５に戻る。一方、タイムアップである場合には（Ｓ１６５：ＹＥＳ）、渋滞などによって受信電波の強度のモニタリングが適切に行えない状況であると判断してリターンする。
【００４６】
一方、受信電波のピーク値が上側閾値以上である場合には（Ｓ１２０：ＹＥＳ）、受信電波の強度が下側閾値未満であるか否かを判断する（Ｓ１２５）。
受信電波の強度が下側閾値以上である場合には（Ｓ１２５：ＮＯ）、タイムアップであるか否かを判断する（Ｓ１３０）。すなわち、キャリア検出信号を受信してからの経過時間が所定時間以上であるか否かを判断する。タイムアップではない場合には（Ｓ１３０：ＮＯ）、引き続き受信電波の強度をモニタリングするためにＳ１２５に戻る。一方、タイムアップである場合には（Ｓ１３０：ＹＥＳ）、渋滞などによって受信電波の強度のモニタリングが適切に行えない状況であると判断してリターンする。
【００４７】
また、受信電波の強度が下側閾値未満である場合には（Ｓ１２５：ＹＥＳ）、上昇勾配値（第一算出値）および下降勾配値（第二算出値）を算出する（Ｓ１３５）。なお、上昇勾配値については、受信電波の強度が下側閾値からピークに到達するまでに増加した値の絶対値を下側閾値からピークに到達するまでに経過した時間で除算することで算出する。また、下降勾配値については、受信電波の強度がピークに達した後に下限閾値に到達するまでに減少した値の絶対値をピークに達した後に下側閾値に到達するまでに経過した時間で除算することで算出する。
【００４８】
続いて下降勾配値が上昇勾配値よりも大きいか否かを判断する（Ｓ１４０）。
下降勾配値が上昇勾配値よりも大きい場合には（Ｓ１４０：ＹＥＳ）、ＤＳＲＣ車載器３０を搭載する車両が本線道路の順車線を走行中であり、当該ＤＳＲＣ車載器３０がＤＳＲＣ路上機２０の通信エリア内に位置すると判定し（Ｓ１５５、図２（ａ）参照）、リターンする。
【００４９】
一方、下降勾配値が上昇勾配値以下である場合には（Ｓ１４０：ＮＯ）、ＤＳＲＣ車載器３０を搭載する車両が反対車線を走行中であり、当該ＤＳＲＣ車載器３０がＤＳＲＣ路上機２０の通信エリア外に位置すると判定し（Ｓ１６０、図２（ｂ）参照）、リターンする。
【００５０】
［３．データ報知処理の説明］
次に、通信システム１のＤＳＲＣ車載器３０の車載器制御部３１が実行するデータ報知について説明する。
【００５１】
適正通信判定処理によって当該ＤＳＲＣ車載器３０がＤＳＲＣ路上機２０の通信エリア内に位置すると判定された場合には、車載器制御部３１は、ＤＳＲＣ路上機２０から受信した電波に載せられたデータを記憶部３５から読み出して表示部３６やスピーカ３７を用いて報知させる。
【００５２】
なお、適正通信判定処理によって当該ＤＳＲＣ車載器３０がＤＳＲＣ路上機２０の通信エリア外に位置すると判定された場合には、車載器制御部３１は、上述のような報知を実行しない。
【００５３】
また、適正通信判定処理によって受信電波の強度のモニタリングが適切に行えない状況であると判断された場合には、車載器制御部３１は、ＤＳＲＣ路上機２０から受信した電波に載せられたデータを報知するか否かの選択入力を入力操作部３８から受け付け、ユーザが所望する場合にはデータを記憶部３５から読み出して表示部３６やスピーカ３７を用いて報知させる。
【００５４】
［４．実施形態の効果］
本実施形態の通信システム１によれば、ＤＳＲＣ車載器３０とＤＳＲＣ路上機２０との路車間通信が行われた場合に、受信電波の強度の波形から、ＤＳＲＣ路上機２０の通信エリア内での路車間通信なのかＤＳＲＣ路上機２０の通信エリア外での路車間通信なのかを正確に判定することができる。
【００５５】
また、本実施形態の通信システム１によれば、ＤＳＲＣ路上機２０の通信エリア外に位置するＤＳＲＣ車載器３０が路車間通信を行うことでＤＳＲＣ路上機２０が送信する電波に載せられたデータをＤＳＲＣ車載器３０が受信した場合でも、その受信したデータを乗員に報知しないようにすることができる。
【符号の説明】
【００５６】
１…通信システム、２０…ＤＳＲＣ路上機、２１…制御部、２２…無線部、３０…ＤＳＲＣ車載器、３１…車載器制御部、３２…無線部、３４…通信部、３４ａ…バッファ、３５…記憶部、３６…表示部、３７…スピーカ、３８…入力操作部、３９…ＩＣカード制御部、４０…ＩＣカードコネクタ、８０…イグニッションスイッチ、９０…ＩＣカード、９１…処理部、９２…記憶部
【図１】
2010258520.tif 000003
【図３】
2010258520.tif 000004
【図２】
2010258520.tif 000005